(57)【要約】      （修正有）【課題】装飾性を強化し、新しい装飾機能を付加するために改良された水晶のカット構造を提供する。【解決手段】素材が透明な水晶でできており、全体として六角錐台１１にカットされ、かつ六角錐台１１の両側端面１３ａをそれぞれ円弧状断面とし、広い方の端面１３ａの直径と狭い方の端面の直径との比率を、少なくとも広いほうの端面１３ａに泡状の文様１４が出現する比率とする。【選択図】図５
0003189890.tif 000002
【実用新案登録請求の範囲】
【請求項１】
素材が透明な水晶でできており、全体として多角錐台にカットされ、かつ多角錐台の両側端面をそれぞれ円弧状断面とし、広い方の端面の直径と狭い方の端面の直径との比率を、少なくとも広いほうの端面に泡状の文様が出現する比率としたことを特徴とする水晶のカット構造。
【請求項２】
前記端面に現出する泡状の文様は、それぞれの泡状の文様が多角形の中に円が配されている模様ユニットからなることを特徴とする請求項１記載の水晶のカット構造。
【請求項３】
前記端面に現出する泡状の文様は、中心に大きいサイズの模様ユニットが配され、その外周に多数の模様ユニットを外縁に向かって小さくなるよう配されていることを特徴とする請求項１記載の水晶のカット構造。
【請求項４】
前記端面に現出する泡状の文様は、狭い方の端面にも現出するようになっていることを特徴とする請求項１記載の水晶のカット構造。
【請求項５】
前記広い方の端面と多角錐台の長さの比率が、約１：３．５以上であることを特徴とする請求項１記載の水晶のカット構造。
【考案の詳細な説明】
【技術分野】
【０００１】
この考案は、水晶を所定の多角錐台にカットするとともに、その両端を円弧状に成形し、前記多角錐台の両端から見たときに万華鏡のような斬新な文様が現出するようにした、改良された水晶のカット構造に関するものである。
【背景技術】
【０００２】
従来の水晶のカット構造としては、以下のような考案が提案されている。
１）実開平５−２８２１６号公報（特許文献１参照）
傾斜角度をピラミッド型水晶（１）の斜面と同一にした貴金属類等による枠部（４）と、宝石類（３）と、チェーン取り付け金具（６）とで構成されるペンダントを台座として、取り外しが可能なピラミッド型水晶（１）を置いた、ピラミッド型水晶着脱ペンダント。
２）実用新案登録第３０３９９０１号公報（特許文献２参照）
表面に図柄を有する水晶製装飾体において、前記図柄を透明な多面体の少なくとも１面に形成するとともに、前記図柄が形成された面と所定の角度を成す他の図柄非形成面側から該図柄がそれぞれ同時に多数見えるようにしたことを特徴とする装飾体。
３）特開２００１−１９７９１３号公報（特許文献３参照）
水晶柱又は水晶片に貫通穴をあけ、さらに底部の一部分をカットし、それぞれに金属線又は紐を通して、三点支持の状態を創り出すことによって水晶柱又は水晶片を市中に固定する方法。
【０００３】
もちろん、ダイヤモンド等の宝石においてはラウンドブリリアントカットやオーバルカット、エメラルドカット、プリンセスカット等の種々のカット構造が提案されている。
そしてそのカット面によりダイヤモンドの輝きが外に向かって放たれ、美しい虹色の世界を作り上げるものである。
【先行技術文献】
【特許文献】
【０００４】
【特許文献１】実開平５−２８２１６号公報
【特許文献２】実用新案登録第３０３９９０１号公報
【特許文献３】特開２００１−１９７９１３号公報
【考案の概要】
【考案が解決しようとする課題】
【０００５】
しかしながら、水晶を用いた装飾品においては、結晶に沿ってカットされるような限られたカット構造しか存在しなかったのが実情である。
したがってこの考案は、水晶のカット構造における装飾性の強化や、新しい装飾機能の付加のための改良された水晶のカット構造を提供しようとするものである。
【課題を解決するための手段】
【０００６】
すなわちこの考案の水晶のカット構造は、従来例の上記課題を解決するために、素材が透明な水晶でできており、全体として多角錐台にカットされ、かつ多角錐台の両側端面をそれぞれ円弧状断面とし、広い方の端面の直径と狭い方の端面の直径との比率を、少なくとも広いほうの端面に泡状の文様が出現する比率としたことを特徴とするものである。
【０００７】
この考案の水晶のカット構造は、前記端面に現出する泡状の文様は、それぞれの泡状の文様が多角形の中に円が配されている模様ユニットからなることをも特徴とするものである。
【０００８】
この考案の水晶のカット構造は、前記端面に現出する泡状の文様として、中心に大きいサイズの模様ユニットが配され、その外周に多数の模様ユニットを外縁に向かって小さくなるよう配されていることをも特徴とするものである。
【０００９】
この考案の水晶のカット構造は、前記端面に現出する泡状の文様は、狭い方の端面にも現出するようになっていることをも特徴とするものである。
【００１０】
この考案の水晶のカット構造は、前記広い方の端面の直径と多角錐台の長さの比率が、約１：３．５以上であることをも特徴とするものである。
【考案の効果】
【００１１】
この考案の水晶のカット構造によれば、少なくとも前記広い方の端面に泡状の文様が出現する。特に、前記端面に現出する泡状の文様は、それぞれの泡状の文様が多角形の中に円が配されている模様ユニットからなるものであり、非常に幾何学的であって万華鏡のような斬新な装飾性を備えた文様を得ることができる。
【００１２】
しかもこの考案の水晶のカット構造においては、全体として多角錐台にカットし、その両端を円弧状に研磨するだけなので、非常に加工しやすく、したがって低コストの商品を提供することができるようになった。
【図面の簡単な説明】
【００１３】
【図１】この考案の水晶のカット構造の実施の形態を示す正面図である。
【図２】その側面図である。
【図３】この考案の水晶のカット構造を広い方の端面から見た図である。
【図４】この考案の水晶のカット構造を狭い方の端面から見た図である。
【図５】この考案の水晶のカット構造において、前記広い方の端面側に現出する泡状の文様を示す説明図である。
【図６】この考案の水晶のカット構造において、前記狭い方の端面側に現出する泡状の文様を示す説明図である。
【図７】この考案の水晶のカット構造を採用した水晶の狭い方の端面に下げ飾り用金具を取り付けた状態を示す正面図である。
【図８】その側面図である。
【図９】その底面図である。
【考案を実施するための形態】
【００１４】
以下図面に基いて、この考案の水晶のカット構造の実施の形態を詳細に説明する。
図１ないし図４は、この考案の水晶のカット構造の１実施例を示すものである。
図１ないし図４において、カット構造が適用される素材は透明な水晶でできており、全体として各側面が下つぼまりのテーパ面１２を有する多角錐台、本実施例では六角錐台１１にカットされ、かつ六角錐台１１の両側端面１３ａ，１３ｂをそれぞれ円弧状断面とし、広い方の端面１３ａの直径と狭い方の端面１３ｂの直径との比率を、少なくとも広い方の端面１３ａに後述する泡状の文様１４が出現する比率としたものである。
【００１５】
このような泡状の文様１４が出現する比率としては、広い方の端面１３ａの直径と狭い方の端面１３ｂの直径との比率を、１：約０．５〜０．８とすることが望ましい。
なお、前記泡状の文様１４の大きさや数は、前記六角錐台１１の両側端面１３ａ，１３ｂを構成する円弧状断面の円弧の曲率半径を帰ることにより、適宜決定することができる。
【００１６】
この考案の水晶のカット構造において、前記端面１３ａ，１３ｂに現出する泡状の文様１４は、図５に示すように、それぞれの構成要素が六角形２１ａの中に円２１ｂが配されている模様ユニット２１からなるものである。
そして、前記端面１３ａ，１３ｂに現出する泡状の文様１４として、中心に大きいサイズの模様ユニットが配され、その外周に多数の模様ユニット２１を外縁に向かって小さくなるよう配している。
【００１７】
上述のように、前記端面１３ａ，１３ｂに現出する泡状の文様１４は、図６のように狭い方の端面１３ｂにも現出するようになっている。その場合、前記狭い方の端面１３ｂに現出する泡状の文様１４は、その周囲が下つぼまりの前記テーパ面１２からなる側面によって制限を受けることとなる。
したがって、このときの泡状の文様１４は、前記広い方の端面１３ａの泡状の文様１４の周囲を前記テーパ面１２で覆い隠した状態となり、当然前記広い方の端面１３ａの泡状の文様１４よりは模様ユニット２１の数は少なくなる。
【００１８】
次に、この考案の水晶のカット構造においては、前記広い方の端面１３ａの直径と多角錐台、本実施例では六角錐台１１の長さの比率が、約１：３．５以上であることをも特徴としている。
実際に試作してみた場合、前記広い方の端面１３ａの直径Ｌ１と六角錐台１１の長さＬ２の比率が１：３．５以下の場合には、前記泡状の文様１４の現出は見ることができなかったのである。
【００１９】
図７〜図９は、この考案の水晶のカット構造を、装身具用下げ飾りに適用した場合の実施例を示すものである。
図７〜図９において、六角錐台１１の前記広い方の端面１３ａはそのまま露出させて前記泡状の文様１４が現出するようにしてあり、狭い方の端面１３ｂにはその側面のテーパ面１２の下部をも覆うように、容器状の下げ飾り用金具２２が取り付けてある。２３はチェーン等を取り付けるための丸環である。
そうすることにより、携帯ストラップやキーホルダー、根付、その他の装身具用下げ飾りとして利用できるようになる。
【００２０】
上記実施例では、この考案を六角錐台１１に適用した場合について説明してきたが、六角錐台１１以外の多角錐台からなる水晶のカット構造として適用することが可能である。例えば多角錐台の応用例として、五角錐台、八角錐台等が挙げられる。
【産業上の利用可能性】
【００２１】
以上の説明においてはこの考案の水晶のカット構造を透明な無色の水晶を念頭において説明したが、この考案の要旨を変更しない範囲で半透明や色付きの他の水晶のカット構造にも適用することが可能である。
【符号の説明】
【００２２】
１１  六角錐台
１２  テーパ面
１３ａ，１３ｂ  端面
１４  泡状の文様
２１  模様ユニット
２１ａ  六角形
２１ｂ  円
２２  下げ飾り用金具
２３  丸環
【図１】
0003189890.tif 000003
【図２】
0003189890.tif 000004
【図３】
0003189890.tif 000005
【図４】
0003189890.tif 000006
【図５】
0003189890.tif 000007
【図６】
0003189890.tif 000008
【図７】
0003189890.tif 000009
【図８】
0003189890.tif 000010
【図９】
0003189890.tif 000011